(57)【特許請求の範囲】
【請求項１】
建物躯体の居室用床スラブと、その室外側のバルコニー用床スラブと、これら床スラブを支持する梁部材と、梁部材を支持する支柱とを備えてなる鉄筋コンクリート建物において、前記バルコニー用床スラブを利用して、この床スラブの下面に梁部材が一体形成され、該梁部材に、その室内外方向の幅と略同じ幅の支柱が一体形成されるとともに、該梁部材とこれと一体の支柱は、バルコニー用床スラブの室内外方向の幅と同じ幅に形成されてなることを特徴とする鉄筋コンクリート建物。
【発明の詳細な説明】
【０００１】
【発明の属する技術分野】
本発明は、アパートやマンションなど集合住宅用の鉄筋コンクリート建物に関するものである。
【０００２】
【従来の技術】
アパートやマンションなどの集合住宅用鉄筋コンクリート建物においては、建物躯体の支柱や梁が居室内に介入すると、居室内のコーナー部等に出っ張り部ができて、外観上の体裁が悪い上に、居室の使い勝手が悪いことから、近年では、支柱や梁をバルコニー側に配設する工法が主流となっている。
【０００３】
図３の（Ａ）はバルコニー２の室内側端部に梁１３及び支柱１４を配設した集合住宅用鉄筋コンクリート建物の縦断側面図、（Ｂ）はその横断平面図である。また、図４の（Ａ）はバルコニー２の室外側端部に梁１３及び支柱１４を設けると共に、その梁１３を手摺り代用とした集合住宅用鉄筋コンクリート建物の縦断側面図、（Ｂ）は横断平面図である。これらの図において、１５は居室１用床スラブ、１６はバルコニー２用床スラブである。
【０００４】
【発明が解決しようとする課題】
図３に示す鉄筋コンクリート建物では、バルコニー２の室内側端部に梁１３が設けられていることから、バルコニー２が主たる採光側である場合には、（Ａ）から分かるように、居室１のバルコニー２側開口部１ａの上部側が梁１３で塞がれるため、居室１側への採光が悪くなる。また、図４に示す鉄筋コンクリート建物では、バルコニー２の室外側に梁１３及び支柱１４を設けるから、採光は良くなるが、梁１３を手摺り代用とするため、その手摺りが分厚くなって、バルコニー２の幅が狭くなる。
【０００５】
本発明は、上記の課題に鑑み、居室のバルコニー側開口部を最大限に大きくできて解放感が得られると共に、居室側への採光が良好となり、しかもバルコニーを広く有効に使用できるようにした鉄筋コンクリート建物を提供することを目的とする。
【０００６】
【課題を解決するための手段】
請求項１に係る発明は、建物躯体Ｋの居室用床スラブ５と、その室外側のバルコニー用床スラブ６と、これら床スラブ５，６を支持する梁部材３と、梁部材３を支持する支柱４とを備えてなる鉄筋コンクリート建物において、前記バルコニー用床スラブ６を利用して、この床スラブ６の下面に梁部材３が一体形成され、該梁部材３に、その室内外方向の幅と略同じ幅の支柱４が一体形成されるとともに、該梁部材３とこれと一体の支柱４は、バルコニー用床スラブ６の室内外方向の幅と同じ幅に形成されてなることを特徴とする。
【０００７】
【発明の実施の形態】
図１は、本発明の一実施形態を示す鉄筋コンクリート造高層マンション、特に一般に「雁行形」と呼ばれる形態のマンションの或る階における横断平面図、図２の（Ａ）は同マンションの一部縦断側面図で、主たる採光側となるバルコニー２部分を示し、（Ｂ）はこのバルコニー２部分の横断平面図である。
【０００８】
このマンションは、図１から分かるように、主たる採光側となるバルコニー２が設けられる側に、室内外方向に細長く形成された支柱４が一定間隔おきに配設され、このバルコニー２と反対側にある共有廊下２２側には、従来タイプの支柱２４が一定間隔おきに配設されている。本発明は、特に、このマンションでは、各住戸が、雁行状、つまり空を飛ぶ雁の行列のように斜めに並んだ配列状態となっている雁行形と呼ばれる形態のマンションに関し、主たる採光側となるバルコニー２が平面視で階段状の配列形態となっている。しかして、この階段状の配列形態となっている側の躯体構造が本発明に係るもので、これについて以下に説明する。
【０００９】
図２の（Ａ）に示すように、各住戸の居室１の床部を形成する居室用床スラブ５の室外側には、主たる採光側となるバルコニー２の床部を形成するバルコニー用床スラブ６が連設され、そしてこのバルコニー用床スラブ６を利用して、床スラブ５，６を支持する梁部材３が一体に形成されると共に、この梁部材３に、当該梁部材３と略同じ幅で室内外方向に細長い支柱４が一体形成されている。尚、梁部材３、支柱４，２４、居室用床スラブ５、バルコニー用床スラブ６、壁７，８，９及びその他の図示しない部材によって、上記マンションの躯体Ｋが形成される。
【００１０】
また図２の（Ａ）から分かるように、各バルコニー用床スラブ６は、上面に水切り勾配を有する床面６ａが形成され、この床スラブ６の下面側全域に梁部材３が一体形成されて、バルコニー用床スラブ６の幅Ｗと梁部材３の幅ｗとが実質的に同じとなり、その上側半分がバルコニー用床スラブ６を形成し、下側半分が梁部材３を形成し、従って外見上はバルコニー用床スラブ６の厚さが普通のバルコニー用床スラブの概ね２倍程度になった状態となる。
【００１１】
また支柱４は、図１及び図２の（Ｂ）から分かるように、室内外方向に細長く形成され、その室内外方向の幅ａは、バルコニー用床スラブ６の幅Ｗと略同じであり、従ってまた梁部材３の幅ｗもバルコニー用床スラブ６の幅Ｗと略同じである。尚、図１に示すマンションは、上記のように雁行形であるため、この図１に示すように、各階複数あるバルコニー２の中間に位置するバルコニー２に設けられている支柱４は、その室内外方向の幅がバルコニー用床スラブ６の幅Ｗの２倍となっているが、これは、支柱４を挟んで隣合う両側のバルコニー用床スラブ６，６と夫々一体形成される両側の梁部材３，３が一つの支柱４の夫々半分ずつと一体形成される状態となるため、当該支柱４の室内外方向の幅は、実質的にバルコニー用床スラブ６の幅Ｗと略同じａとなる。また、この場合、バルコニー用床スラブ６の幅Ｗを約２０００ｍｍ、隣合う支柱４，４間のスパンを約７００００ｍｍ程度とした場合、この支柱４の室内外方向の幅ａは約２１００ｍｍ、この室内外方向幅ａと直交する幅ｂは約５００ｍｍ程度である。
【００１２】
また、この実施形態の躯体構造は、上記のように支柱４幅ａ及び梁部材３の幅ｗがバルコニー用床スラブ６の幅Ｗと略同じであって、支柱４が、隣接する住戸の隣合うバルコニー２，２間の境界部を閉鎖するようになるため、図１に示すように、各住戸のバルコニー用床スラブ６に夫々避難ハッチ１１が設けられる。
【００１３】
また、この実施形態の躯体構造は、バルコニー用床スラブ６を利用して梁部材３が一体形成されるから、図２の（Ａ）に示すように、各居室１のバルコニー２側開口部１ａを最大限に大きくとることができて解放感が得られると共に、居室１側への採光が良好となり、また梁部材３にこの梁部材３と略同じ幅の支柱４が一体形成されることによって、梁部材３が支柱４によって有効に支持されると共に、梁部材３と支柱４との接合部に段差ができず、外観上の体裁が良くなる。
【００１４】
また、上記躯体構造では、各支柱４が梁部材３と略同じ幅で前記のように室内外方向に細長く形成されているため、図２の（Ｂ）から分かるように、断面形状が殆ど真四角となった支柱１６（図３及び図４参照）を有する従来の躯体構造に比べて、バルコニー２を広く有効に使用することができる。尚、図２の（Ａ）及び（Ｂ）において、１２はバルコニー用床スラブ６の室外側端部に沿って設置される手摺りを示す。
【００１５】
更に、支柱４幅ａ及び梁部材３の幅ｗがバルコニー用床スラブ６の幅Ｗと略同じであることから、外観上の体裁・見栄えが良くなる。特に、この実施形態のような雁行形マンションでは、主たる採光側となる各バルコニー２が住戸毎に独立した形となるため、この実施形態の発明を雁行形マンションの躯体構造に適用すると、各バルコニー２の両端側を支柱４によって閉鎖でき、外観上の体裁と併せて非常に有効である。
【００１６】
【発明の効果】
請求項１に係る発明の鉄筋コンクリート建物によれば、バルコニー用床スラブを利用して、この床スラブに梁部材が一体形成されることによって、居室のバルコニー側開口部の上部側に障害物が形成されず、その開口部を最大限に大きくできて、解放感が得られ、居室側への採光が良好になると共に、バルコニーを広く有効に使用することができる。
【００１７】
また本発明は、梁部材に、その室内外方向の幅と略同じ幅の支柱が一体形成されることにより、梁部材が支柱によって有効に支持されると共に、梁部材と支柱との間に大きな段差ができないため、外観上の体裁が良くなる。
【００１８】
さらに本発明は、梁部材とこれと一体の支柱がバルコニー用床スラブの室内外方向の幅と同じ幅に形成されることにより、鉄筋コンクリート建物の外観上の体裁が良くなり、特にバルコニーが住戸毎に独立した形となる雁行形マンションの場合にきわめて有効である。
【図面の簡単な説明】
【図１】  本発明の一実施形態を示す鉄筋コンクリート造高層マンションの或る階における横断平面図である。
【図２】  （Ａ）は同マンションの一部縦断側面図で、主たる採光側となるバルコニー部分を示し、（Ｂ）はそのバルコニー部分の横断平面図である。
【図３】  従来のマンションの一部縦断側面図で、主たる採光側となるバルコニー部分を示し、（Ｂ）はそのバルコニー部分の横断平面図である。
【図４】  他の従来のマンションの一部縦断側面図で、主たる採光側となるバルコニー部分を示し、（Ｂ）はそのバルコニー部分の横断平面図である。
【符号の説明】
１                  居室
２                  主たる採光側となるバルコニー
３                  梁部材
４                  支柱
５                  居室用床スラブ
６                  バルコニー用床スラブ
Ｋ                  建物躯体
【図１】
0003749872.tif 000002
【図２】
0003749872.tif 000003
【図３】
0003749872.tif 000004
【図４】
0003749872.tif 000005